(57)【要約】【課題】引き戸を閉じた状態に移動させることなく切り替え操作（ロック解除操作）を行うことができるセーフティーストッパーを提供する。【解決手段】引き戸１を所定の位置でロックしてそれ以上開かないようにする一方、ロックを解除することで引き戸１を所定の位置よりもさらに開けるようにするセーフティーストッパーＳ、Ｓ１、Ｓ２を備えた引き戸装置であって、セーフティーストッパーＳ、Ｓ１、Ｓ２は、建屋側部材５、２０５に取り付けられたブロック体１０と、引き戸１に取り付けられ、戸開時にブロック体１０に当接することによってロックされ、ロックを解除するレバー４０、１４０を有するストッパー装置２０、１２０、２２０とで構成され、ストッパー装置２０、１２０、２２０を引き戸１の戸先側１ａに配置した。【選択図】図８
2015224516.tif 000002
【特許請求の範囲】
【請求項１】
引き戸を所定の位置でロックしてそれ以上開かないようにする一方、ロックを解除することで前記引き戸を前記所定の位置よりもさらに開けるようにするセーフティーストッパーを備えた引き戸装置であって、
前記セーフティーストッパーは、建屋側部材に取り付けられたブロック体と、前記引き戸に取り付けられ、戸開時に前記ブロック体に当接することによってロックされ、前記ロックを解除するレバーを有するストッパー装置とで構成され、
前記ストッパー装置を前記引き戸の戸先側に配置したことを特徴とする引き戸装置。
【請求項２】
前記引き戸の上面或いは下面に開閉方向へ延びる溝部を形成し、前記溝部内の戸先側に前記ストッパー装置を取り付け、前記溝部の戸先側端面の開口から前記ロックを解除する前記レバーの操作部を表出させたことを特徴とする請求項１に記載の引き戸装置。
【請求項３】
引き戸を所定の位置でロックしてそれ以上開かないようにする一方、ロックを解除することで前記引き戸を前記所定の位置よりもさらに開けるようにするセーフティーストッパーであって、
建屋側部材に取り付けられるブロック体と、
前記引き戸に取り付けられ、前記ブロック体に当接することによってロックされ、前記ロックを解除するレバーを有するストッパー装置とを備え、
ロックを解除する前記レバーの操作部が、前記ストッパー装置の引き戸閉方向における端部から表出していることを特徴とするセーフティーストッパー。
【請求項４】
前記ストッパー装置には、前記引き戸の板厚方向に延びる回動軸が設けられ、前記レバーには、前記回動軸を挟んで前記操作部の反対側に、前記引き戸を開方向へ移動させるときに前記ブロック体と当接する当接部が形成されていることを特徴とする請求項３に記載のセーフティーストッパー。
【請求項５】
前記レバーには、前記回動軸と前記当接部との間に設けられ、前記引き戸を閉方向へ移動させるときに前記ブロック体と接触しながら前記レバーを回動させる傾斜部が形成されていることを特徴とする請求項４に記載のセーフティーストッパー。
【発明の詳細な説明】
【技術分野】
【０００１】
本発明は、引き戸を開く際に、この引き戸が所定の位置よりも開かないようにする一方、ロックを解除することで引き戸を所定の位置よりもさらに開けるようにした引き戸装置、およびこれに用いるセーフティーストッパーに関する。
【背景技術】
【０００２】
建屋の出入り口や収納庫などに設けられた引き戸装置では、引き戸を開く際に、引き戸の取手を持つ人の指が戸袋等に挟まれてしまうおそれがある。そのため、指が挟まれる位置よりも手前側で、引き戸がそれ以上に開かないようにするためのセーフティーストッパーが用いられている。このセーフティーストッパーは、引き戸を開こうとする人がロックを解除することによって、引き戸を完全に開ける（開ききれる）ようにもしている。
【０００３】
例えば、特許文献１に記載されている引き戸装置は、開いた引き戸が戸袋に収納されるタイプのものであり、引き戸の戸尻側（引き戸の開方向における先端側）にセーフティーストッパーが取り付けられている。このセーフティーストッパーは、引き戸の板厚方向に延びる回転軸と、この回転軸を中心に回動して立設状態と横倒れ展開状態にそれぞれ切り替え可能な戸当りとで構成されている。横倒れ展開状態では、戸当りが引き戸の戸尻の端面よりも突出しており、引き戸が完全に開ききる前に戸当りが戸袋の戸尻側壁部に突き当たるようにしている。これにより、指が挟まれる手前側の位置で引き戸がそれ以上開かないようにしている。一方、立設状態では、戸当りが引き戸の戸尻よりも突出していない。そのため、横倒れ展開状態から立設状態に切り替える（ロックを解除する）ことで、引き戸を完全に開ききることができるようにしている。なお、上述した切り替え操作は、引き戸の表面側（利用者と対向する面側）に表出している回転軸を回転操作することによって行われる。
【先行技術文献】
【特許文献】
【０００４】
【特許文献１】特開２００９−８４８７７号公報
【発明の概要】
【発明が解決しようとする課題】
【０００５】
上述した引き戸装置では、セーフティーストッパーの切り替え操作を行うために、引き戸を閉じた状態（戸当りの回転軸が操作できるように、戸尻側に位置する回転軸を戸袋の外側に引き出した状態）まで移動させる必要がある。そのため、切り替え操作を行うために引き戸の開閉作業が必要になり、手間がかかっていた。
また、切り替えを行うために引き戸を閉じた状態に移動させ、切り替えた後に引き戸を完全に開ききろうとすると、当初の課題のように引き戸の取手を持つ人の指が戸袋等に挟まれてしまうおそれがある。
【０００６】
さらに、切り替え操作を行うための回転軸を引き戸の表面側に表出させているので、引き戸を閉じた状態で利用者側から回転軸が見えてしまう。そのため、引き戸全体としての意匠性が損なわれてしまう。また、屋外で使用する引き戸の場合には、機構内に雨水等が入り込み易く、回転軸の耐久性が問題になる。
【０００７】
本発明は、上述した事情を鑑みてなされたものであり、その目的は、引き戸を閉じた状態に移動させることなく切り替え操作（ロック解除操作）を行うことができる引き戸装置およびこれに用いるセーフティーストッパーを提供することにある。
【課題を解決するための手段】
【０００８】
上述した課題を解決するために、本発明に係る引き戸装置は、引き戸を所定の位置でロックしてそれ以上開かないようにする一方、ロックを解除することで前記引き戸を前記所定の位置よりもさらに開けるようにするセーフティーストッパーを備えたものであり、前記セーフティーストッパーは、建屋側部材に取り付けられたブロック体と、前記引き戸側に取り付けられ、戸開時に前記ブロック体に当接することによってロックされ、前記ロックを解除するレバーを有するストッパー装置とで構成され、前記ストッパー装置を前記引き戸の戸先側に配置したことを特徴とする。
【０００９】
また、前記引き戸の上面或いは下面に開閉方向へ延びる溝部を形成し、前記溝部内の戸先側に前記ストッパー装置を取り付け、前記溝部の戸先側端面の開口から前記ロックを解除する前記レバーの操作部を表出させてもよい。
【００１０】
一方、本発明に係るセーフティーストッパーは、引き戸を所定の位置でロックしてそれ以上開かないようにする一方、ロックを解除することで前記引き戸を前記所定の位置よりもさらに開けるようにするものであり、建屋側部材に取り付けられるブロック体と、前記引き戸に取り付けられ、前記ブロック体に当接することによってロックされ、前記ロックを解除するレバーを有するストッパー装置とを備え、ロックを解除する前記レバーの操作部が、前記ストッパー装置の引き戸閉方向における端部から表出していることを特徴とする。
【００１１】
また、前記ストッパー装置には、前記引き戸の板厚方向に延びる回動軸が設けられ、前記レバーには、前記回動軸を挟んで前記操作部の反対側に、前記引き戸を開方向へ移動させるときに前記ブロック体と当接する当接部が形成されている。
【００１２】
さらに、前記レバーには、前記回動軸と前記当接部との間に設けられ、前記引き戸を閉方向へ移動させるときに前記ブロック体と接触しながら前記レバーを回動させる傾斜部が形成されていてもよい。
【発明の効果】
【００１３】
本発明に係る引き戸装置では、前記セーフティーストッパーが、建屋側部材に取り付けられたブロック体と、前記引き戸に取り付けられ、戸開時に前記ブロック体に当接することによってロックされ、前記ロックを解除するレバーを有するストッパー装置とで構成されているので、ブロック体とストッパー装置の取り付け位置を開閉方向において任意に決定することができる。これにより、ストッパー装置を引き戸の戸先側に配置することを可能にした。
【００１４】
また、戸先側にストッパー装置を配置することで、ロックを解除する操作を戸先側で行えるようになる。そのため、引き戸がロックされた状態（所定の位置で開かないようにしている状態）でロックを解除することができるので、わざわざ引き戸を閉じた状態まで移動させる必要がない。また、ロックを解除した後に引き戸を完全に開ききるまでの距離が短いので、その間に利用者の指が戸袋等に挟まれるおそれが少なくなる。
【００１５】
本発明に係るセーフティーストッパーでは、建屋側部材に取り付けられるブロック体と、前記引き戸に取り付けられ、前記ブロック体に当接することによってロックされ、前記ロックを解除するレバーを有するストッパー装置とを備え、ロックを解除する前記レバーの操作部が、前記ストッパー装置の引き戸閉方向における端部から表出しているので、ストッパー装置を引き戸の戸先側に取り付けることで、引き戸の戸先側からこの操作部を操作することができる。そのため、ロックを解除する操作を戸先側で行えるようになり、引き戸がロックされた状態（所定の位置で開かないようにしている状態）でロックを解除することができるので、わざわざ引き戸を閉じた状態まで移動させる必要がない。
【図面の簡単な説明】
【００１６】
【図１】本発明の実施の形態に係る引き戸装置にセーフティーストッパーを設けた平面図であり、（Ａ）〜（Ｃ）はセーフティーストッパーの機能する態様を示したものである。
【図２】（Ａ）は、図１（Ａ）の状態を戸先側の斜め上から見た斜視図であり、（Ｂ）は図１（Ｂ）の状態を戸先側の斜め上側から見た斜視図である。
【図３】ブロック体の斜視図である。
【図４】（Ａ）はブロック体の平面図、（Ｂ）はその正面図である。
【図５】ストッパー装置の斜視図である。
【図６】図５の分解斜視図である。
【図７】（Ａ）はストッパー装置の平面図、（Ｂ）は（Ａ）のＸ−Ｘ断面図、（Ｃ）は（Ｂ）のＹ方向から見た側面図である。
【図８】（Ａ）はセーフティーストッパーが機能する前の状態、（Ｂ）はセーフティーストッパーが機能してレバーがブロック体に当接した状態を示す概要図である。
【図９】（Ａ）は操作部を押圧してブロック体との当接状態を解除した状態、（Ｂ）は図９（Ａ）の状態から引き戸をさらに開いた状態を示す概要図である。
【図１０】（Ａ）は図９（Ｂ）の状態から操作部の押圧力を解除した状態、（Ｂ）は図１０（Ａ）の状態から引き戸を閉じた状態を示す概要図である。
【図１１】本発明の変形例であって、ストッパー装置の斜視図である。
【図１２】図１１の分解斜視図である。
【図１３】セーフティーストッパーの動作を説明する概要図である。
【図１４】本発明の変形例であって、セーフティーストッパーを引き戸の上側に設けたものを示す概要図である。
【図１５】本発明の変形例であって、２枚の引き戸で構成される引き戸装置にセーフティーストッパーを設けた平面図であって、（Ａ）〜（Ｃ）はセーフティーストッパーの機能する態様を示したものである。
【発明を実施するための最良の形態】
【００１７】
以下、本発明の実施の形態に係る引き戸装置Ｈおよびこれに用いるセーフティーストッパーＳについて、図面を用いて詳細に説明する。図１は、本発明の実施の形態に係る引き戸装置ＨにセーフティーストッパーＳを取り付けた状態を上側から見たものであり、（Ａ）は、引き戸を閉じた状態（セーフティーストッパーＳが機能（作動）する前の態様）、（Ｂ）は、セーフティーストッパーを機能させ、引き戸先端が少しだけ突出している状態、（Ｃ）は、セーフティーストッパーの機能（作動）を解除させ、引き戸が完全に開ききった状態を示している。また、図２（Ａ）は、図１（Ａ）の状態を戸先側の斜め上から見た斜視図であり、（Ｂ）は、図１（Ｂ）の状態を戸先側の斜め上側から見た斜視図である。
なお、本実施の形態では、引き戸１を開いたときに引き戸１が戸袋２内に収納されるタイプの引き戸装置ＨにセーフティーストッパーＳを取り付けたものについて説明する。
【００１８】
また、以下の説明で使用する方向で、戸開側とは、引き戸１を開く方向（図１の紙面右側）をいい、戸閉側とは、引き戸１を閉じる方向（図１の紙面左側）をいう。また、上側、下側とは、図２の紙面上下方向をいう。さらに、表側とは、図２の手前側を正面とし、この正面から引き戸１を見た側をいい、裏側とは、表側の反対側をいう。また、幅方向とは、引き戸１の板厚方向であって、表面側（或いは裏面側）から裏面側（或いは表面側）に向かう方向をいうものとする。
【００１９】
セーフティーストッパーＳは、図１および図２に示すように、ブロック体１０と、ストッパー装置２０とで構成されている。引き戸１の下側には、ブロック体１０が取り付けられている。このブロック体１０は、後述する取付ねじ２１（図８（Ａ）参照）によって床面５上に固定する態様で取り付けられている。また、床面５には、引き戸の開閉方向に沿って下側レールを取り付け、この下側レールにブロック体１０を取り付けるようにしてもよい。なお、本明細書では、上述した「床面５」または「下側レール」を総称して、「建屋側部材」と記載する。
【００２０】
一方、引き戸１の下面には、図２（Ａ）および図２（Ｂ）に示すように、開閉方向に沿って溝部１ｂが形成されている。この溝部１ｂは、引き戸１の戸先側１ａから戸尻側まで連続して形成されており、戸先側１ａの先端面にはこの溝部１ｂの開口１ｃが形成されている。ストッパー装置２０は、この溝部１ｂ内であって、引き戸１の戸先側１ａの先端部分に収容される態様で取り付けられている。
【００２１】
なお、引き戸１の上側には、案内ローラ（図示せず）が取り付けられている。この案内ローラは、引き戸１を吊り下げる態様で取り付けられており、案内ローラが上側レール上を開閉方向に沿って自由に転動することによって、引き戸１が開閉方向にスムーズに移動できるようになっている。
【００２２】
このセーフティーストッパーＳは、ブロック体１０と、ストッパー装置２０とが協働することによって機能する。まずは、この機能について簡単に説明する。図１（Ａ）および図２（Ａ）に示すように、引き戸１が閉じた状態では、ブロック体１０とストッパー装置２０とは離れており、セーフティーストッパーＳは機能（作動）していない。この状態から、引き戸１を開くと、図１（Ｂ）および図２（Ｂ）に示すように、ブロック体１０とストッパー装置２０とが当接し、引き戸１がＬ２の長さだけ突出した状態でこれ以上開かないようになる（開口がＬ１の長さまで開いた状態）。この状態でストッパー装置２０を操作して当接を解除（ロックを解除）することにより、図１（Ｃ）に示すように、引き戸１を閉じた状態へ移動させることなく引き戸１をさらに開く（開口がＬ３の長さまで開いた状態）ことができるようになる。なお、セーフティーストッパーＳの詳細な作用・動作の説明は、ブロック体１０、ストッパー装置２０の構造を説明した後に行う。
【００２３】
図３は、ブロック体１０の斜視図である。また、図４（Ａ）はブロック体の平面図、図４（Ｂ）はその正面図である。
ブロック体１０は、平板状の座部１１と、この座部１１の上面から上方向に突出する突部１２とを備え、これらが樹脂材料によって一体に成形されている。座部１１は、上側から見て略矩形状に形成されており、その幅方向の中央部に突部１２が開閉方向に沿って延びている。この突部１２の幅方向の厚みは、上述した引き戸１の溝部１ｂの幅方向の長さよりも小さく形成されており、引き戸１を開閉移動させたとしても突部１２が溝部１ｂの内壁部に干渉しないようになっている。また、この突部１２の突出長さは、溝部１ｂの深さよりも小さく形成されており、突部１２ｂが溝部１ｂ内の上面と干渉しないようになっている。
【００２４】
また、この突部１２は、引き戸１に前後方向（引き戸１の板厚方向）への力が作用したときに、この突部１２と溝部１ｂの内壁とが干渉して引き戸１が前後方向に外れないようにする振れ止めとしても機能する。
なお、上述した溝部１ｂの上下方向における溝部の深さは、詳細は後述するストッパー装置２０が収容される部分（深い部分）と、突部１２が干渉しないようにする部分（浅い部分）とでそれぞれ異なる寸法で形成してある。なお、深い部分に合わせて、同じ深さで形成することもできる。
【００２５】
また、座部１１には、突部１２の幅方向の両側に皿穴１３がそれぞれ設けられている。ブロック体１０は、この皿穴１３に取付ねじ（図示せず）を通して締結することによって床面５に固定される。
【００２６】
突部１２には、図４（Ｂ）に示すように、戸閉側に位置し、座部１１の上面から上方に起立する態様で略垂直に延びる当接面１２ｃが形成されている。この当接面１２ｃには、引き戸１を戸開側に移動させる際に、詳細は後述するレバー４０の当接部４４が当接するようになる。
【００２７】
また、突部１２には、当接面１２ｃの上端部から戸開方向へ略水平に延びる頂部水平面１２ｄと、頂部水平面１２ｄの戸閉方向の終端部から座部１１に向かって斜めに傾斜する傾斜面１２ｂが形成されている。これらの頂部水平面１２ｄおよび傾斜面１２ｂには、引き戸１を戸閉側に移動させる際に、詳細は後述するレバー４０の接触面４３ａが接触するようになる（詳細は後述する）。
【００２８】
頂部水平面１２ｄには、傾斜ざぐり穴１２ａが形成されている。この傾斜ざぐり穴１２ａは、上面から戸閉方向下側に向けて斜めに形成されており、座部１１の下面まで連通している。図２（Ａ）及び図２（Ｂ）に示すように、ブロック体１０を取り付ける際に、ブロック体１０の両側が戸袋２の壁部によって囲われるような場合には、上述した皿穴１３に取付ねじを通して垂直に締め付けることができない。そのため、取付ねじを戸袋２の戸開側の外側から斜め下方向に締め付けられるように、傾斜ざぐり穴１２ａを設けている。この傾斜ざぐり穴１２ａに取付ねじを挿通して締結すると、取付ねじの頭部はざぐり穴の内部に入り込み、頂部水平面１２ｄよりも上側に突出しないようになる（図８（Ａ）参照）。
【００２９】
さらに、突部１２には、軽量化および樹脂材料をできるだけ少なくするために、複数の肉盗み１４ａ、１４ｂ、１４ｃが設けられている。
【００３０】
図５は、ストッパー装置２０の斜視図、図６はその分解斜視図である。また、図７（Ａ）はストッパー装置の平面図、図７（Ｂ）は図７（Ａ）で示すＸ−Ｘ断面図、図７（Ｃ）は図７（Ｂ）で示すＹ方向から見た側面図である。
【００３１】
ストッパー装置２０は、このストッパー装置２０の外側部分を構成する外側ケース３０と、この外側ケース３０の内部に組み付けられるレバー４０と、このレバー４０の動きを案内する案内ピン６０と、レバー４０を外側ケース３０に対して回動させるための回動中心となる回動軸７０とで構成されている。
【００３２】
外側ケース３０は、下側が開口する断面コ字形状に形成されており、幅方向の側部に位置する２つの縦壁部３１、３１と、これらの縦壁部３１、３１の上端を幅方向に繋ぐ上面部３２とで構成されている。また、外側ケース３０の戸開側および戸閉側の端面は、開口している。さらに、上面部３２の戸開側の端部は、縦壁部３１の端部よりも戸開側へ延びる延出部３３が形成されている。
【００３３】
２つの縦壁部３１、３１には、それぞれを幅方向に貫通する態様で案内ピン誘導長穴３１ａ、回動軸取付穴３１ｂが形成されている。また、上面部３２には、上下方向に貫通する取付穴３２ａが形成されている。同様に、延出部３３には、上下方向に貫通する取付穴３３ａが形成されている。これらの取付穴３２ａ、３３ａには取付ねじ２１（図８（Ａ）参照）がそれぞれ挿通され、これらの取付ねじ２１を締結することによってストッパー装置２０が引き戸１の溝部１ｂ内の上面に取り付けられる。なお、延出部３３は、レバー４０を外側ケース３０内に組み付けた状態で、レバー４０と上下方向に干渉しないで（レバー４０よりも開方向側の位置で）取付ねじ２１を下側から取付穴３３ａに挿通できるように形成されている。
【００３４】
レバー４０は、図５および図６に示すように、外側ケース３０の下側開口から組み付けられ、詳細は後述する案内ピン６０および回動軸７０を介して外側ケース３０に対して回動自在に取り付けられる。レバー４０は、樹脂材料の成形品であり、レバー４０の幅寸法は、外側ケース３０の縦壁部３１の内幅寸法と同等かそれよりも若干小さめに形成されている。
【００３５】
レバー４０は、図６および図７（Ｂ）に示すように、紙面の正面から見て左側（戸閉側）に位置する操作部４１と、この操作部４１から戸開側に延びる連結部４２と、この連結部４２の終端部から戸開方向の下側に斜めに延びる傾斜部４３と、この傾斜部４３の終端部に形成された当接部４４とで構成されている。レバー４０は、これらの部分が樹脂成形によって一体に形成されている。
【００３６】
操作部４１は、利用者がレバー４０を戸開側に向かって押し込む（押圧する）ように操作するためのものであり、その押圧する部分には、突起４１ａおよび凹み４１ｂが設けられている。これらの突起４１ａおよび凹み４１ｂは、なだらか曲面で連続しており、この操作部４１を指で押し込むときの方向が横からであっても斜め上側からであっても押し易く、かつ、レバー４０がスムーズに回動する方向に力が向かうようにしている。この操作部４１の先端部分（突起４１ａおよび凹み４１ｂの部分）は、図５および図７（Ａ）、図７（Ｂ）に示すように、レバー４０を外側ケース３０内に組み付けた状態で、外側ケース３０の縦壁部３１の戸閉側縁部３１ｄよりも閉方向外側に表出するようになっている。
【００３７】
連結部４２には、上下方向に連通する取付長穴４２ａが形成されている。この取付長穴４２ａは、レバー４０を外側ケース３０内に組み付けた状態で、上述した取付ねじ２１（図８（Ａ）参照）を取付穴３２ａに下側から取り付けられるようにするための逃げのようなものである。また、連結部４２の終端部には、レバー４０の幅方向に貫通する回動軸取付穴４２ｂが形成されている。
【００３８】
傾斜部４３は、図６および図７（Ｂ）に示すように、回動軸取付穴４２ｂから略直線状に延びており、その下面に略平面状をなす接触面４３ａが形成されている。この接触面４３ａは、引き戸１の開閉動作時に上述したブロック体１０の頂部水平面１２ｄおよび傾斜面１２ｂと接触・摺動するようになる（図１０（Ｂ）参照）。また、傾斜部４３には、中央部よりも少し戸閉側に、幅方向に貫通する案内ピン取付穴４３ｂが形成されている。
【００３９】
この傾斜部４３の傾斜角度は、操作部４１を押し込んだときに、傾斜部４３の戸開側の終端部（当接部４４）が、ブロック体１０の頂部水平面１２ｄの上側まで完全に移動するように決定されている（図９（Ａ）、図９（Ｂ）参照）。
【００４０】
当接部４４は、操作部４１を押し込んでいない状態で、略垂直に起立する平面状に形成されている。また、当接部４４は、図５および図７（Ｂ）に示すように、外側ケース３０内にレバー４０が組み付けられた状態で、外側ケース３０の縦壁部３１の戸開側縁部３１ｃよりも開方向外側に位置するように形成されている。これにより、当接部４４は、セーフティーストッパーＳの機能時（ブロック体１０の当接面１２ｃとの当接時）に当接面１２ｃと平面同士で面で当接するようになる（図８（Ｂ）参照）。
【００４１】
また、当接部４４の幅方向の両側には、幅方向に向けて突出する側方突部４４ａがそれぞれ形成されている。この側方突部４４ａは、図７（Ｃ）に示すように、縦壁部３１の内側面よりも幅方向に突出しているが、縦壁部３１の外側面よりも突出しないようになっている。これにより、側方突部４４ａは、縦壁部３１の戸開側縁部３１ｃとは回動方向で干渉するが、ストッパー装置２０が溝部１ｂ内に組み付けられた状態で、溝部１ｂの内壁とは干渉しないようになっている。
【００４２】
さらに、レバー４０には、軽量化および樹脂材料をできるだけ少なくするために、複数の肉盗み５１、５２、５３、５４、５５、５６、５７が形成されている。また、構造上の強度をより大きくするために、補強リブ５８、５９を設ける工夫もなされている。
【００４３】
また、レバー４０は、図７（Ｂ）に示す回動軸取付穴４２ｂを挟んで、開閉方向における戸開側の部分（傾斜部４３、当接部４４）の重量が、戸閉側の部分（操作部４１、連結部４２）の重量よりも重くなるように形成されている。これにより、詳細は後述する回動軸７０を回動軸取付穴３１ｂ、４２ｂに挿通させてレバー４０が自由に回動できるようにすると、レバー４０が図７（Ｂ）における時計回りのモーメント力で回転するようになる。この自重による回転力は、当接部４４の側方突部４４ａが縦壁部３１の戸開側縁部３１ｃと当接することによって受けられる。これにより、レバー４０の組み付け時における位置が規制される。
【００４４】
さらに、レバー４０は、回動軸取付穴４２ｂから操作部４１までの長さよりも、回動軸取付穴４２ｂから当接部４４までの長さを大きくしている。これにより、操作部４１を押し込むときの押し込み長さ（押し込み量）に対し、当接部４４が回動して移動する長さ（回動量）を大きく確保できるようになる。その結果、わずかな押し込み量でブロック体１０と当接部４４との当接を解除することができる。
【００４５】
案内ピン６０は、外側ケース３０内にレバー４０を組み付け、案内ピン誘導長穴３１ａと案内ピン取付穴４３ｂとが幅方向に連通するように調整した後に、外側ケース３０の外側から挿入される。案内ピン６０は、その挿入後、先端部をかしめることによって外側ケース３０に取り付けられる。なお、レバー４０の側部から、案内ピン６０に相当する案内突起（図示せず）を突出させ、この案内突起でレバー４０の回動を案内するようにしてもよい。この構造であれば、レバー４０の樹脂成形時に案内突起を一体に成型することによって、案内ピン６０自体の部品点数を削減することができる。
【００４６】
回動軸７０は、案内ピン６０と同様に、回動軸取付穴３１ｂ、４２ｂが幅方向に連通するように調整した後に、外側ケース３０の外側から挿入される。回動軸７０は、その挿入後、先端部をかしめることによって外側ケース３０に取り付けられる。
【００４７】
上述したストッパー装置２０を引き戸１の溝部１ｂ内であって、その戸先側１ａに取り付けた状態では、引き戸１の表側および裏側からストッパー装置２０の操作部４１以外の部分が見えないようになる（図２（Ａ）および図２（Ｂ）参照）。また、ストッパー装置２０の操作部４１が、引き戸１の溝部１ｂの戸先側１ａの端面の開口１ｃから表出するようになる（図２参照）。さらには、ブロック体１０についても、戸袋２の内方に取り付けられているので、引き戸１の表側および裏側からブロック体１０が見えないようになる（図２参照）。そのため、引き戸１の意匠性が損なわれることがない。
【００４８】
なお、本明細書で使用する「表出」とは、外側から見える程度の意味であり、開口から突出している状態、面一の状態、或いは表面よりも奥まった状態のいずれもが含まれるものである。
【００４９】
また、レバー４０の操作部４１の先端部分は、ストッパー装置２０を溝部１ｂ内に組み付けた状態で、引き戸１の溝部１ｂの戸先側１ａ端面の開口１ｃから少しだけ突出するように構成されている。この操作部４１の突出長さは、ストッパー装置２０を取り付けるときに任意に調整することができる。これにより、利用者が操作部４１を押し込む操作を容易に行うことができる。また、利用者の両手が塞がっているときには、突出する操作部４１を足で押し込むようにすることで操作することもできる。なお、当然に、操作部４１の先端部分が戸先側１ａ端面の開口１ｃと面一に、或いは、突出しないように調整して取り付けることもできる。
【００５０】
次に、本発明の実施の形態に係るセーフティーストッパーＳの機能（作動）・動作について、図８〜図１０を用いて説明する。図８（Ａ）はセーフティーストッパーＳが機能する前の状態、図８（Ｂ）はレバー４０がブロック体１０に当接した状態を示している。図９（Ａ）は操作部４１を押圧してブロック体１０との当接状態を解除した状態、図９（Ｂ）は図９（Ａ）の状態から引き戸１をさらに開いた状態を示している。さらに、図１０（Ａ）は図９（Ｂ）の状態から操作部４１の押圧力を解除した状態、（Ｂ）は図１０（Ａ）の状態から引き戸１を閉じた状態を示している。
【００５１】
セーフティーストッパーＳが機能する前は、図８（Ａ）に示すように、引き戸１の戸先側１ａがブロック体１０よりも戸閉側に位置し、ストッパー装置２０がブロック体１０に対し離れた位置にある。この状態において、引き戸１は、引き戸１を閉じた状態からセーフティーストッパーＳが機能するまでの長さ（図１で示すＬ１の長さ）を開閉方向に自由に移動することができる。
【００５２】
引き戸１が図８（Ａ）の状態から所定の位置（引き戸の取手を持つ人の指が戸袋等に挟まれる手前側の位置）に移動すると、図８（Ｂ）に示すように、ブロック体１０の当接面１２ｃとストッパー装置２０のレバー４０の当接部４４とが面で当接する。これにより、セーフティーストッパーＳが機能することになる。この状態では、引き戸１の戸先部１ａが戸袋２の開口部２ａから長さＬ２だけ突出した位置で停止し、引き戸１がこれ以上開かないようになる。
【００５３】
当接部４４が当接面１２ｃに当接するときの力は、互いの平面で接触することによって、大きな力が局所的に作用しないようになる。また、この力は、回動軸７０と案内ピン６０とで受けることになる。或いは、レバー４０の上面部分を外側カバー３０の上側の内面に接触させて、この接触部分でも力が受けられるようにしてもよい。
【００５４】
例えば、出入り口から車いすなどを搬入出させるような場合には、より大きな出入り口（開口）を確保する必要がある。そのため、この引き戸１をさらに大きく開ききることができるようにしている。図９（Ａ）に示すように、引き戸１の戸先部１ａが長さＬ２だけ突出した状態のままで、溝部１ｂの戸先側１ａから表出している操作部４１を戸開方向へ押し込む（押圧力Ｆを作用させる）と、レバー４０は、回動軸７０を中心に反時計回りの方向Ｒ１に回動する。これにより、当接部４４がブロック体１０の上側に移動し、ブロック体１０の当接面１２ｃと当接部４４との当接（ロック）が解除される。反時計回りの方向Ｒ１への回動は、案内ピン６０が案内ピン誘導長穴３１ａによって案内されながら移動するので、よりスムーズに回動する。このように、本実施の形態に係るセーフティーストッパーＳは、従来技術のようにロックを解除するために引き戸１を閉じた状態まで移動させることなく、戸先側１ａが長さＬ２だけ突出した状態のままで、ロックを解除することができる。
【００５５】
なお、上述した引き戸１の戸先側１ａの突出長さＬ２（および、開口長さＬ１）は、開閉方向におけるブロック体１０の取付位置を調整することによって任意に変更することができる。これにより、引き戸１の種類や構造などに合わせて、最適な突出長さＬ２を得ることができる。
【００５６】
図９（Ｂ）に示すように、当接が解除された状態では、引き戸１を戸開側へ移動させることができる。また、図１０（Ａ）に示すように、当接部４４が当接面１２ｃよりも戸開側へ移動したときに押圧力Ｆを解除すると、レバー４０は、傾斜部４３の自重によって回動軸７０を中心に時計回りの方向Ｒ２に回動する。この状態で引き戸１を戸開側に押し込めば、引き戸１を完全に開いた状態まで開ききることができる。
【００５７】
一方、図１０（Ａ）の状態から引き戸１を再び戸閉側に移動させると、図１０（Ｂ）に示すように、レバー４０の傾斜部４３の接触面４３ａがブロック体１０の傾斜面１２ｂと接触する。この状態から引き戸１をさらに閉じると、接触面４３ａの傾斜によってレバー４０の傾斜部４３が押し上げられてレバー４０が反時計回りに回動する。すなわち、操作部４１を押し込む操作をすることなく、引き戸１を閉じるだけでレバー４０が反時計回りに回動する。そして、傾斜部４３がブロック体１０を閉方向に乗り越えると、傾斜部４３が自重で下がり、レバー４０が時計回りに回動する。これにより、図８（Ａ）の状態に戻ることになる。
【００５８】
本発明の実施の形態に係る引き戸装置Ｈによれば、セーフティーストッパーＳが、建屋側部材に取り付けられたブロック体１０と、引き戸１の下側に取り付けられ、戸開時にブロック体１０に当接することによってロックされ、ロックを解除するレバー４０を有するストッパー装置２０とで構成されているので、ブロック体１０とストッパー装置２０の取り付け位置を開閉方向において任意に決定することができる。これにより、ストッパー装置２０を引き戸１の戸先側１ａに配置することを可能にした。また、ストッパー装置２０を引き戸１の戸先側１ａに配置することで、ロックを解除する操作を戸先側１ａで行えるようになる。そのため、引き戸１ａがロックされた位置（利用者の指が挟まれる位置よりも手前側の位置）でロックを解除することができるので、従来技術のようにわざわざ引き戸１を閉じた状態まで移動させる必要がない。また、ロックを解除した後に引き戸１を完全に開ききるまでの距離Ｌ２が短いので、その間に利用者の指が戸袋に挟まれるおそれが少なくなる。
【００５９】
また、引き戸１の下面に開閉方向へ延びる溝部１ｂを形成し、溝部１ｂ内の戸先側１ａに前記ストッパー装置２０を取り付け、溝部１ｂの戸先側１ａ端面の開口１ｃからロックを解除するレバー４０の操作部４１を表出させているので、引き戸１の表面側および裏面側からストッパー装置２０の操作部４１以外の部分が見えないようにすることができる。そのため、引き戸１全体としての意匠性が損なわれることがない。
【００６０】
さらに、操作部４１が溝部１ｂの戸先側１ａ端面の開口１ｃから表出しているので、利用者はこの操作部４１を押し込むだけでロックを解除することができ、ロック解除操作を容易に行うことができる。
【００６１】
一方、本発明の実施の形態に係るセーフティーストッパーＳによれば、引き戸１の床面５側に取り付けられるブロック体１０と、引き戸１側に取り付けられ、ブロック体１０に当接することによってロックされ、ロックを解除するレバー４０を有するストッパー装置２０とを備え、ロックを解除するレバー４０の操作部４１が、ストッパー装置２０の戸閉側縁部３１ｄ（引き戸閉方向における端部）から表出しているので、ストッパー装置を引き戸１の戸先側に取り付けることで、引き戸１の戸先側１ａからこの操作部４１を操作することができる。そのため、ロックを解除する操作を戸先側１ａで行えるようになり、引き戸１がロックされた位置（利用者の指が挟まれる位置よりも手前側の位置）でロックを解除することができるので、わざわざ引き戸１を閉じた状態まで移動させる必要がない。
【００６２】
また、ストッパー装置２０には、引き戸１の板厚方向に延びる回動軸７０が設けられ、レバー４０には、回動軸７０を挟んで操作部４１の反対側に、引き戸１を開方向へ移動させるときにブロック体１０と当接する当接部４４が形成されているので、操作部４１を戸開方向へ押し込むことによって、回動軸７０を中心にレバー４０を回動させることができる。これにより、操作部４１と反対側に位置する当接部４４をこの回動方向に移動させて当接（ロック）を解除することができる。その結果、ロックを解除するための操作部を引き戸１の表面側または裏面側に設けずに構成することができる。
また、当接部４４側の重量を操作部４１側の重量よりも重くすることで、レバー４０に対して回動軸７０を中心とする時計回りのモーメント力を与えることができる。
【００６３】
さらに、レバー４０には、回動軸７０と当接部４４との間に設けられ、引き戸１を閉方向へ移動させるときにブロック体１０と接触しながらレバー４０を回動させる傾斜部４３が形成されているので、引き戸１を閉じるときにブロック体１０とストッパー装置２０とがロックされずに引き戸１を閉じることができる。
【００６４】
以上、本発明の実施の形態に係るセーフティーストッパーＳについて述べたが、本発明は既述の実施形態に限定されるものではなく、本発明の技術思想に基づいて各種の変形および変更が可能である。
【００６５】
例えば、本実施の形態におけるレバー４０は、樹脂材料を一体成形したものを用いているが、鋼板をプレス加工した鋼製のレバー１４０を用いることもできる。図１１は、ストッパー装置の斜視図であって、本発明の実施形態における図５に対応するものである。また、図１２は、図６に対応するものである。さらに、図１３は、鋼製のレバー１４０を使用したセーフティーストッパーＳ１を引き戸装置Ｈ１に使用したものであって、図９（Ａ）に対応するものである。なお、セーフティーストッパーＳ１の動作および機能は、上述したセーフティーストッパーＳと同じであるため、詳細な説明は省略する。また図中において、本実施形態で使用する部材と同一の部材については、同一の符号を付すことによってその詳細な説明を省略する。
【００６６】
ストッパー装置１２０は、図１１および図１２に示すように、鋼板を折り曲げて形成した外側ケース１３０と、鋼板をプレス加工して形成したレバー１４０と、レバー１４０を外側ケース１３０に対して回動させるための回動軸７０とで構成されている。
【００６７】
外側ケース１３０は、樹脂で形成された外側ケース３０を鋼板で同じ形状に作成したものであり、同じように取付穴３２ａ、３３ａ、回動軸取付穴３１ｂが設けられている。ただし、外側ケース３０の案内ピン誘導長穴３１ａは設けられていない（案内ピン６０は使用しない）。
【００６８】
レバー１４０は、樹脂製のレバー４０と同様に、紙面の正面から見て左側（戸閉側）に位置する操作部１４１と、この操作部１４１から戸開側に延びる連結部１４２と、この連結部１４２の終端部から戸開方向の下側に斜めに延びる傾斜部１４３と、この傾斜部１４３の終端部に形成された当接部１４４とで構成されている。これらの各部は、１枚の鋼板から一体に作られている。なお、製作のし易さを考慮して、各部を別体で構成し、それぞれを溶接等でつなぎ合わせるようにしてもよい。
【００６９】
操作部１４１および連結部１４２は、図１２に示すように、鋼板を左右から突き合わせる態様で折り曲げることによって形成されている。これにより、穴加工を後工程で行わないで取付長穴１４２ａ（レバー４０の取付長穴４２ａに相当）を形成することができる。また、連結部１４２の終端部には回動軸取付穴１４２ｂが形成されている、この回動軸取付穴１４２ｂは、折り曲げ加工前にプレス加工で打ち抜いた穴をそのまま使用したものである。傾斜部１４３および当接部１４４は、鋼板をそのまま折り曲げて製作したものである。
【００７０】
このように鋼製のストッパー装置１２０を用いたセーフティーストッパーＳ１では、金属製であることから、耐摩耗性、耐衝撃性に優れている。例えば、当接部１４４とブロック体１０とが当接する際の力や衝撃には、金属製のレバー１４０の方が高い強度を有する。そのため、誘導ピン６０および誘導ピン案内長穴３１ａを設けなくともストッパー装置１２０に十分な強度を持たせることができる。また、誘導ピン６０がなくても、レバー１４０をスムーズに回動させることができる。
【００７１】
また、本実施形態では、引き戸装置Ｈの引き戸１の下側にセーフティーストッパーＳを設けているが、引き戸１の上側に設けることもできる。図１４は、セーフティーストッパーＳ２を引き戸２０１の上側に設けた引き戸装置Ｈ２を示す概要図である。なお、図中において、本実施形態で使用する部材と同一の部材については、同一の符号を付すことによって詳細な説明を省略する。
【００７２】
ブロック体１０は、引き戸２０１の上側の天井面２０５に取付ねじ２１（図８（Ａ）参照）を介して取り付けられている。なお、天井面２０５には、引き戸２０１の開閉方向に沿って上側レールを取り付け、この上側レールにブロック体１０を取り付けるようにしてもよい。なお、本明細書では、上述した「天井面２０５」または「上側レール」を総称して、「建屋側部材」と記載する。
また、引き戸２０１の上面には、開閉方向に沿って連続する溝部２０１ｂ（溝部１ｂを上下逆にしたもの）が形成されており、ストッパー装置２２０は、引き戸２０１の上側であって戸先側２０１ａの先端部分に収容される態様で取り付けられている。なお、引き戸２０１の下側には、案内ローラ（図示せず）が取り付けられており、案内ローラが下側レール（図示せず）上を開閉方向に沿って自由に転動することによって、引き戸１が開閉方向に移動するようになっている。
【００７３】
このストッパー装置２２０は、本実施形態で記載したストッパー装置２０を上下逆にして取り付けたものであり、さらに、レバー４０の傾斜部４３が自重で下がらないようにするために、傾斜部４３を上側に付勢する押圧ばね２０６が追加で取付けられている。この押圧ばね２０６の一端は外側ケース３０の内面の下側に支持されており、他端はレバー４０の傾斜部４３の下面で支持されている。なお、押圧ばね２０６の代わりに、回動軸７０にトーションばね（図示せず）を設け、このトーションばねでレバー４０を上側に付勢するようにしてもよい。
【００７４】
このようなストッパー装置２２０の構成であっても、引き戸２０１を戸開側に移動させたときに、レバー４０の当接部４４がブロック体１０の当接面１２ｃに当接し、引き戸１がそれ以上開かないようにすることができる。また、当接した状態のまま操作部４１を押圧することで、押圧ばね２０６の付勢力に抗して当接部４４を下側に下げることができるので、当接部４４と当接面１２ｃとの当接を解除することができる。また、操作部４１の押圧力を解除することで、レバー４０の傾斜部４３が押圧ばね２０６の付勢力で上側に回動するので、当接部４４を再びブロック体１０と当接可能な状態（元の状態）まで戻すことができる。
【００７５】
このような引き戸装置Ｈ２では、セーフティーストッパーＳ２を引き戸２０１の上側に構成することで、小さな子供などがいたずらで操作部４１を押し込むことを防止することができる。また、利用者の足や荷物が操作部４１に当たって押し込んでしまうような誤動作を防止することができる。そのため、より信頼性の高い引き戸装置Ｈ２を提供することができる。
【００７６】
さらに、本実施の形態に係るセーフティーストッパーＳは、引き戸１を開いたときに引き戸１が戸袋２内に収容される態様の引き戸装置Ｈに取り付けているが、これに限定されるものではない。例えば、図１５（Ａ）〜図１５（Ｃ）に示すように、２枚の引き戸１、３００を板厚方向に並べた引き戸装置Ｈ３にセーフティーストッパーＳを適用することもできる。なお、図中において、本実施形態で使用する部材と同一の部材については、同一の符号を付すことによって詳細な説明を省略する。
【００７７】
セーフティーストッパーＳおよび引き戸１は、本実施形態で説明したもの同一のものであり、２枚の引き戸１、３００のうちの一方の引き戸１に取り付けられている。この引き戸１は、図１５（Ｂ）に示すように、戸先側１ａが長さＬ２だけ突出した位置よりもそれ以上に開かないようにできる。また、本実施の形態に記載した操作と同様の操作を行うことにより、引き戸１が長さＬ２だけ突出した状態のままロックを解除し、引き戸１を完全に開ききるようにすることができる（図１５（Ｃ）参照）。
【００７８】
特に、この２枚の引き戸１、３００で構成した引き戸装置Ｈ３では、引き戸１の表面側の全体が利用者から常に見えてしまうことになる。そのため、引き戸１の表面側からストッパー装置２０およびブロック体１０が見えないようにしたセーフティーストッパーＳは、従来技術と比較して、引き戸１の意匠性を損なうことがなく有用である。
【００７９】
なお、当然に、引き戸１側にセーフティーストッパーＳを取り付ける以外の構造であってもよい。例えば、引き戸３００側にセーフティーストッパーＳ取り付けることもできるし、引き戸１、３００の両方に取り付けることもできる。さらには、上述した変形例で記載したセーフティーストッパーＳ２を引き戸１（３００）の上側に設けることもできる。
【００８０】
また、本発明の引き戸装置Ｈ、Ｈ１、Ｈ２、Ｈ３には、引き戸１、２０１の閉じ際（或いは開き際）に引き戸を強制的に閉じさせる（或いは開かせる）ためのクローザーを併用して設置することもできる。これにより、必要に応じて引き戸１、２０１を戸袋等に確実に収容することができるようになる。
【００８１】
さらにまた、本実施の形態では、「ロックした状態」、「ロック状態」として、当接部４４とブロック体１０の当接面１２ｃとが当接している（突き当たっている）状態を説明しているが、これに限定されるものではない。例えば、当接部４４とブロック体１０とが互いに係合爪或いは係合爪と係合穴によって係合（係止）され、引き戸１、２０１が所定の位置よりも開けないようにする構造や状態も、本明細書でいう「ロック状態」に含まれる。また、レバーの回動によって係合爪或いは係合穴との係合（係止）が解除され、引き戸１、２０１がさらに開ききれるようになる構造や状態を、ロックが解除された状態ということができる。
【符号の説明】
【００８２】
１、２０１  引き戸
１ａ  引き戸の戸先部（戸先側）
１ｂ、２０１ｂ  溝部
１ｃ  溝部の戸先側端面の開口
２  戸袋
２ａ  戸袋の開口部（開口側）
３  壁部
５  床面（建屋側部材）
１０  ブロック体
１１  座部
１２  突部
１２ａ  傾斜ざぐり穴
１２ｂ  傾斜面
１２ｃ  当接面
１２ｄ  頂部水平面
１３  皿穴
１４ａ、１４ｂ、１４ｃ  肉盗み
２０、１２０、２２０  ストッパー装置
２１  取付ねじ
３０、１３０  外側ケース
３１  縦壁部
３１ａ  案内ピン誘導長穴
３１ｂ  回動軸取付穴
３１ｃ  戸開側縁部
３１ｄ  戸閉側縁部
３２  上面部
３２ａ、３３ａ  取付穴
３３  延出部
４０、１４０  レバー
４１、１４１  操作部
４１ａ  突起
４１ｂ  凹み
４２、１４２  連結部
４２ａ、１４２ａ  取付長穴
４２ｂ、１４２ｂ  回動軸取付穴
４３、１４３  傾斜部
４３ａ、１４３ａ  接触面
４３ｂ  案内ピン取付穴
４４、１４４  当接部
４４ａ、１４４ａ  側方突部
５１、５２、５３、５４、５５、５６、５７  肉盗み
５８、５９  補強リブ
６０  案内ピン
７０  回動軸
２０５  天井面（建屋側部材）
２０６  押圧ばね
３００  反対側の引き戸
３００ａ  反対側の引き戸の端面
３２０  壁部
Ｈ、Ｈ１、Ｈ２、Ｈ３  引き戸装置
Ｓ、Ｓ１、Ｓ２  セーフティーストッパー
Ｌ１  セーフティーストッパーの作動時の開口長さ
Ｌ２  セーフティーストッパーの作動時の引き戸先端側の突出長さ
Ｌ３  セーフティーストッパーの作動解除時の開口長さ
Ｆ  押圧力
Ｒ１  反時計回りの回動方向
Ｒ２  時計回りの回動方向
【図１】
2015224516.tif 000003
【図２】
2015224516.tif 000004
【図３】
2015224516.tif 000005
【図４】
2015224516.tif 000006
【図５】
2015224516.tif 000007
【図６】
2015224516.tif 000008
【図７】
2015224516.tif 000009
【図８】
2015224516.tif 000010
【図９】
2015224516.tif 000011
【図１０】
2015224516.tif 000012
【図１１】
2015224516.tif 000013
【図１２】
2015224516.tif 000014
【図１３】
2015224516.tif 000015
【図１４】
2015224516.tif 000016
【図１５】
2015224516.tif 000017